(57)【要約】【課題】  殺菌灯と光触媒とを利用することで、簡素な構成で空気中の殺菌効果を十分に高めることが可能な殺菌機能を有する送風機を提供する。【解決手段】  空気の吸入開口１０ａと吹出開口１０ｂとが互いに対向して設けられたケーシング１０内に回転送風翼２ａが配設された送風機であり、吸入開口１０ａと回転送風翼２ａとの間に配置されて紫外線６をケーシング１０内に照射する殺菌灯１と、紫外線６の漏れを防ぐように吸入開口１０ａ側と吹出開口１０ｂ側とに設けられた通気性を有する遮光手段７と、を備え、ケーシング１０及び回転送風翼２ａの一方又は双方における紫外線６の被照射面にＮ型半導体金属酸化物光触媒が配置されていることを特徴とする殺菌機能を有している。【選択図】図１
0003235419.tif 000002
【実用新案登録請求の範囲】
【請求項１】
空気の吸入開口と吹出開口とが互いに対向して設けられたケーシング内に回転送風翼が配設された送風機であって、
前記吸入開口と前記回転送風翼との間に配置されて紫外線を前記ケーシング内に照射する殺菌灯と、前記紫外線の漏れを防ぐように前記吸入開口側と前記吹出開口側とに設けられた通気性を有する遮光手段と、を備え、
前記ケーシング及び前記回転送風翼の一方又は双方における前記紫外線の被照射面にＮ型半導体金属酸化物光触媒が配置されていることを特徴とする殺菌機能を有する送風機。
【請求項２】
前記殺菌灯の前記吸入開口側に、前記紫外線を前記回転送風翼側に反射する反射覆いを有し、該反射覆いにおける前記紫外線の前記被照射面にＮ型半導体金属酸化物光触媒が配置されていることを特徴とする請求項１に記載の殺菌機能を有する送風機。
【請求項３】
前記Ｎ型半導体金属酸化物光触媒は、酸化亜鉛（ＺｎＯ）又は酸化チタニウム（ＴｉＯ2）を含有していることを特徴とする請求項１又は２に記載の殺菌機能を有する送風機。
【考案の詳細な説明】
【技術分野】
【０００１】
本考案は、空気の殺菌機能を有する送風機に関する。
【背景技術】
【０００２】
従来の空気の殺菌を行う方法としては、紫外線を照射して発生させたオゾンを空気中に拡散させる方法と、紫外線を照射する殺菌灯により殺菌を行う方法の何れか、或いはこれらを併用した方法などが知られている。
【０００３】
また下記特許文献１では、基底状態酸素雰囲気中にあるＮ型半導体金属酸化物に波長１８０〜３６０ｎｍの近紫外線を照射することにより、Ｎ型半導体金属酸化物の表面励起により活性酸素種を生成し、光ポンピングにより基底状態酸素を励起させ、一重項酸素の生成を行った後、波長６００〜６５０ｎｍの可視光線、および波長１２００〜１３００ｎｍの近赤外線を順次に照射して、活性酸素種である一重項酸素の電磁波の誘導放出による基底状態酸素への遷移エネルギーで殺菌を行う空気の殺菌・脱臭・浄化方法およびその装置が、本発明者により提案されていた。
【先行技術文献】
【特許文献】
【０００４】
【特許文献１】特開平８−５７０３２号公報
【考案の概要】
【考案が解決しようとする課題】
【０００５】
しかしながら、従来のオゾンを空気中に拡散させる方法では、オゾンが充分に分解されないで残留オゾンとして大気中に存在することになるため、人体に大きな影響を及ぼす。
また殺菌灯により紫外線を照射する方法では、紫外線が照射されない部位では殺菌できず、また人の存在下で紫外線を照射する場合においては、人に直接紫外線を照射することにより皮膚癌を発症する危険もあるなどの問題点があった。
【０００６】
一方、特許文献１の殺菌・脱臭・浄化方法及び装置では、オゾンを空気中に拡散させる必要がない上、空気を殺菌するため殺菌できない部位が生じることもなく、環境保全のための空気の浄化や殺菌、或いは病院内における院内感染の防止、シックビルシンドロームの予防、空調内での殺菌を行うなど、各種の目的で好適に使用されている。ところがオゾンの拡散を防止して高度な殺菌を行うためには複数の波長の紫外線や可視光を照射することが必要となり、その分構成が複雑化し易いという問題点があった。
【０００７】
本考案は従来の空気の殺菌装置における問題点を解決せんとするもので、その目的とするところは、殺菌灯と光触媒とを利用することで、簡素な構成で空気中の殺菌効果を十分に高めることが可能な殺菌機能を有する送風機を提供することを目的とする。
【課題を解決するための手段】
【０００８】
本考案に係る殺菌機能を有する送風機は、前記した目的を達成せんとするもので、空気の吸入開口と吹出開口とが互いに対向して設けられたケーシング内に回転送風翼が配設された送風機であり、前記吸入開口と前記回転送風翼との間に配置されて紫外線を前記ケーシング内に照射する殺菌灯と、前記紫外線の漏れを防ぐように前記吸入開口側と前記吹出開口側とに設けられた通気性を有する遮光手段と、を備え、前記ケーシング及び前記回転送風翼の一方又は双方における前記紫外線の被照射面にＮ型半導体金属酸化物光触媒が配置されていることを特徴とする。
【０００９】
本考案では、前記殺菌灯の前記吸入開口側に、前記紫外線を前記回転送風翼側に反射する反射覆いを有し、該反射覆いにおける前記紫外線の前記被照射面にＮ型半導体金属酸化物光触媒が配置されていることを特徴とするのが好適である。
【００１０】
本考案では、前記Ｎ型半導体金属酸化物光触媒が、酸化亜鉛（ＺｎＯ）又は酸化チタニウム（ＴｉＯ2）を含有していることが好適である。
【考案の効果】
【００１１】
本考案の殺菌機能を有する送風機によれば、送風機の吸入開口と回転送風翼との間に、殺菌灯が配置されているので、殺菌灯の紫外線をケーシング内に照射することができる。
そのため、まず通過する空気流中の菌やウィルス等に殺菌力のある紫外線を照射することができる。菌やウィルス等は、タンパク質が炭素、水素、酸素、窒素からなるため、タンパク質中の酸素が紫外線の照射を受けると一重項の酸素となり、菌やウィルス自体を内部から攻撃して自滅させることで殺菌したり不活化したりできる。
【００１２】
また、本考案の送風機では、ケーシング及び回転送風翼の一方又は双方における紫外線の被照射面にＮ型半導体金属酸化物光触媒が配置されている。そのため殺菌灯の紫外線をケーシング内に照射すると、Ｎ型半導体金属酸化物光触媒が配置されたところに殺菌灯の紫外線を照射し、光触媒により発する電子を酸素に授与し、酸素アニオンを生成することで、殺菌灯の能力を助長せしめることが可能である。
【００１３】
即ち、送風機を通過する空気流中の酸素に殺菌灯の紫外線が照射されると、一重項酸素分子を生成する。
Ｏ2 ＋ｈν（紫外線）→ 1Δｇ  
ｈν  ：  殺菌灯の紫外線
1Δｇ：  一重項酸素分子
【００１４】
またＮ型半導体金属酸化物光触媒に殺菌灯の紫外線が照射されると電子が生成される。その電子が空気中の基底状態酸素に授与されると、励起してラジカル化し、活性酸素アニオンを生成する。
Ｍ＋ｈν（紫外線）  →  ｅ-
Ｏ2＋２ｅ−  →  Ｏ−＋Ｏ−  →  Ｏ2−
Ｍ  ：  Ｎ型半導体金属酸化物光触媒
ｅ−  ：  電子
Ｏ2−：  活性酸素アニオン
【００１５】
この活性酸素アニオンが、送風機の吹出開口から放出されて可視光線が照射されると、基底状態酸素分子へ遷移する。
Ｏ2−＋ｈν（可視光線）  →  Ｏ2
Ｏ2  ：  基底状態酸素分子
【００１６】
そして、これらの一重項酸素及び活性酸素アニオンは高いエネルギーの励起状態にあり、強力な殺菌作用を呈するので、送風機により送風される際、速やかに菌、ウィルスの殺菌や不活化が行われる。
そのため、菌やウィルス自体を内部から自滅させる殺菌灯の紫外線により、Ｎ型半導体金属酸化物光触媒を活性化して酸素アニオンを生成することで、殺菌灯の能力を助長せしめることが可能である。
【００１７】
さらに殺菌灯の紫外線を用いることで、Ｎ型半導体金属酸化物光触媒を活性化するための紫外線を使用する必要がないとともに、Ｎ型半導体金属酸化物光触媒によるオゾンの生成を防止することができ、オゾンを分解するための紫外線なども不要である。その結果、照射する紫外線の種類を少なくでき、構造や処理を簡素化できる。
【００１８】
従って、本考案の殺菌機能を有する送風機によれば、殺菌灯と光触媒とを利用することにより、殺菌灯の紫外線を効率よく活用した簡素な構成により、空気中の殺菌効果を十分に高めることが可能である。
【図面の簡単な説明】
【００１９】
【図１】本考案の実施形態に係る殺菌機能を有する送風機の一部を断面で示す側面図である。
【図２】本考案の実施形態に係る殺菌機能を有する送風機の遮光手段であるルーバーの詳細を示す部分断面図である。
【考案を実施するための形態】
【００２０】
以下、本考案の殺菌機能を有する送風機について、図面に基づいて詳細に説明する。
図１は、殺菌機能を有する送風機の一部を断面で示した断面図であり、図２は、殺菌機能を有する送風機の遮光手段であるルーバーの詳細を示す部分断面図である。
この実施形態の送風機は、図１に示すように、スタンド１１に支持されて空気の吸入開口１０ａ及び吹出開口１０ｂを有するケーシング１０と、ケーシング１０内に配置されてモータ９により回転駆動されるファン２と、吸入開口１０ａ側に配置されてケーシング１０内に紫外線６を照射する殺菌灯１と、殺菌灯１の吸入開口１０ａ側を覆う反射覆い３と、吸入開口１０ａ及び吹出開口１０ｂからの紫外線６の漏れを防ぐ通気可能な遮光手段７と、を備えている。
【００２１】
ケーシング１０は、略円筒形状に形成され、ファン２の回転軸方向の両端に吸入開口１０ａと吹出開口１０ｂとが互いに対向して設けられている。
ケーシング１０の内面は殺菌灯１の紫外線６が照射される被照射面となっており、Ｎ型半導体金属酸化物光触媒が配置されている。Ｎ型半導体金属酸化物光触媒の配置方法については後述する。
【００２２】
ケーシング１０の吸入開口１０ａ及び吹出開口１０ｂには、殺菌灯１の紫外線６がケーシング１０の外へ漏れることを防止するための遮光手段７が十分な通気性を有して設けられている。
本実施形態の遮光手段７は、吸入開口１０ａ全体を覆うルーバー４ａと吹出開口１０ｂ全体を覆うルーバー４ｂとからなる。これらのルーバー４ａ，４ｂはケーシング１０と一体に設けられていても、別体に形成されて取り付けられてもよい。
【００２３】
各ルーバー４ａ，４ｂは、図２に示すように、吸入開口１０ａ又は吹出開口１０ｂを横断するように多数のフィンを平行に配列して形成されている。各フィンはそれぞれ山折り状に屈曲乃至湾曲した断面形状を有している。
これらのルーバー４ａ，４ｂでは、互いに隣接したフィン間の空気流路を処理前の空気５や処理後の空気８が通過可能である。一方、殺菌灯１から照射された紫外線６は各ルーバー４ａ，４ｂの形状により各空気流路を通過不能となっている。具体的には各空気流路の両端の開口間が直線方向に貫通しないように、一方の山折り形状のフィンが突出して配置されている。
【００２４】
ファン２は、ケーシング１０内部に図示しない支持部により回転可能に支持され、モータ９により回転軸周りに回転駆動可能となっている。
ファン２は回転軸方向に空気を送るものであれば適宜選択可能であるが、本実施形態ではボス部の周囲に複数の回転送風翼２ａが等間隔で配置されたものを用いている。各回転送風翼２ａの形状も適宜選択可能である。
回転送風翼２ａの裏面、即ち、吸入開口１０ａ側の面は、殺菌灯１の紫外線６が照射される被照射面となっており、Ｎ型半導体金属酸化物光触媒が配置されている。Ｎ型半導体金属酸化物光触媒の配置方法については後述する。
【００２５】
殺菌灯１は、ケーシング１０内に２２０ｎｍ〜３００ｎｍの波長の紫外線６を照射する発光装置である。本実施形態では波長２５４ｎｍの紫外線６を照射する殺菌灯１を用いている。殺菌灯１は、ケーシング１０内における吸入開口１０ａと回転送風翼２ａとの間に配置されて、ケーシング１０の内面と回転送風翼２ａの裏面とに紫外線６を照射可能となっている。
【００２６】
殺菌灯１の形状は特に制限されないが、回転するファン２の回転送風翼２ａの裏面全体に、常時紫外線６を照射できるものが好ましく、本実施形態では円環状の殺菌灯１を用いている。この殺菌灯１は回転する回転送風翼２ａと等間隔で対向するように、ファン２の回転軸を中心に直交して配置されている。
【００２７】
反射覆い３は、殺菌灯１の吸入開口１０ａ側を覆い、殺菌灯１から照射される紫外線６を吹出開口１０ｂ側、即ち回転送風翼２ａ側乃至ケーシング１０の内面側へ反射するものである。
反射覆い３は、円環状の殺菌灯１に沿って近接して配置されており、周方向と直交する断面形状が半円形状を有している。
殺菌灯１の紫外線６が照射される反射覆い３の内側面は、殺菌灯１の紫外線６が照射される被照射面となっており、Ｎ型半導体金属酸化物光触媒が配置されている。
【００２８】
本実施形態において反射覆い３の内側面、回転送風翼２ａの裏面、ケーシング１０の内面にＮ型半導体金属酸化物光触媒を配置する方法について説明する。
まずＮ型半導体金属酸化物光触媒としては、酸化亜鉛（ＺｎＯ）又は酸化チタニウム（ＴｉＯ2）からなるもの、又はこれらを含有するものがよく、酸化亜鉛からなる微粒子や酸化チタニウムからなる微粒子を用いてもよい。
【００２９】
本実施形態において、Ｎ型半導体金属酸化物光触媒を配置する方法としては、Ｎ型半導体金属酸化物光触媒を表面に露出した状態で配置できる各種の方法を採用でき、以下のように行うこともできる。
例えばＮ型半導体金属酸化物光触媒の微粒子を塗料に分散させ、所定形状に形成されたケーシング１０の内面、回転送風翼２ａの裏面、反射覆い３の内側面に塗布して塗膜を形成することで配置してもよい。その際、ケーシング１０、ファン２、反射覆い３の他の面或いは全面に塗布して塗膜を形成することも可能である。
【００３０】
またケーシング１０、ファン２、反射覆い３などを樹脂により成形する場合には、Ｎ型半導体金属酸化物光触媒の微粒子を分散させた樹脂材料により成形することで、各部材自体にＮ型半導体金属酸化物光触媒を直接含有させることも可能である。
さらにファン２若しくは回転送風翼２ａ、ケーシング１０、反射覆い３を、酸化亜鉛（ＺｎＯ）又は酸化チタニウム（ＴｉＯ２）等により作製してもよい。また表面に酸化亜鉛（ＺｎＯ）又は酸化チタニウム（ＴｉＯ２）の薄板や膜を形成してもよく、蒸着することもできる。
【００３１】
次に使用方法について説明する。このような送風機を使用するには、まず密閉空間等の仕切られた対象空間内に本実施形態の送風機を設置する。スタンド１１により載置してもよい。
ファン２を回転駆動することで、室内の処理前の空気５が吸入開口１０ａのルーバー４ａを透過して順次ケーシング１０内に吸引される。
ケーシング１０内では、吸引された空気が吹出開口１０ｂへ流動する。その際、殺菌灯１からの紫外線６が空気に照射されることで、空気中に含まれる菌やウィルス等を殺菌或いは不活化する。例えば菌細胞内の核酸等へ作用してＤＮＡを損傷するなどにより殺菌したり、ウィルスの殻を損傷するなどにより不活化したりしてもよい。
【００３２】
またケーシング１０の内面、回転送風翼２ａの裏面、反射覆い３の内側面に配置されたＮ型半導体金属酸化物光触媒が紫外線６の照射を受け、光触媒作用により生成される電子を空気中の酸素に供給することで酸素アニオンを生成させて殺菌効果を高める。これにより送風機内を通過する空気を殺菌処理し、吹出開口１０ｂのルーバー４ｂを透過して処理後の空気８を室内に放出する。
そして、これらを継続することで室内全体の殺菌処理を行うことができる。
【００３３】
次に、作用効果について説明する。以上のような本実施形態の送風機によれば、両端が開口したケーシング１０内にファン２が配設され、吸入開口１０ａと回転送風翼２ａとの間に殺菌灯１が配置されているので、簡素な構成で、通過する空気流中の菌やウィルス等に殺菌灯１からの殺菌力のある紫外線６を照射することができ、菌やウィルス自体を内部から自滅させることで殺菌したり不活化したりできる。
【００３４】
またケーシング１０及び回転送風翼２ａにおける紫外線６の被照射面にＮ型半導体金属酸化物光触媒が配置されている。そのため殺菌灯１の紫外線６をケーシング１０内に照射することで、空気流中の酸素に照射して一重項酸素分子を生成することができるとともに、Ｎ型半導体金属酸化物光触媒に紫外線６を照射することで発する電子を、空気流中の酸素に授与して酸素アニオンを生成することができる。
【００３５】
そしてこれらの一重項酸素及び活性酸素アニオンが強力な殺菌作用を呈するので、空気流中の菌やウィルスの殺菌或いは不活化を速やかに行うことができる。そのため菌やウィルス自体を自滅させる殺菌灯１の紫外線６により、Ｎ型半導体金属酸化物光触媒を活性化して酸素アニオンを生成することで、殺菌灯１の能力を助長せしめることが可能である。
【００３６】
また殺菌灯１の紫外線６を用いることで、Ｎ型半導体金属酸化物光触媒を活性化する紫外線を別に使用する必要がないとともに、Ｎ型半導体金属酸化物光触媒によるオゾンの生成を防止することができ、さらにオゾンを分解するための紫外線なども不要である。その結果、照射する紫外線６の種類を少なくでき、送風機の構造や殺菌処理を簡素化することができる。
【００３７】
従って、本実施形態の送風機によれば、殺菌灯１と光触媒とを利用することで、殺菌灯１による殺菌のみならずＮ型半導体金属酸化物光触媒の光触媒作用を利用した殺菌を行うことができ、殺菌灯１の紫外線６を効率よく活用して空気中の殺菌効果を十分に高めることが可能である。
【００３８】
これにより現在問題視されている院内感染などの予防や居住空間の無菌化を達成することができる。さらには厨房や食品工場等の食品加工場所や医療機関などの密閉空間のような殺菌が要求される場所に簡易に、安価で設置でき、安全に使用することができる送風機を実現できる。
【００３９】
本実施形態の送風機は、殺菌灯１の吸入開口１０ａ側に紫外線６を回転送風翼２ａ側に反射する反射覆い３を有し、反射覆い３における紫外線６の被照射面にＮ型半導体金属酸化物光触媒が配置されている。そのため、殺菌灯１の紫外線６が吸入開口１０ａ側に漏れにくいとともに、より多くの紫外線６をＮ型半導体金属酸化物光触媒に照射することができ、殺菌効果をさらに向上することができる。
【００４０】
また本実施形態の送風機は、一方面側から空気を吸引して他方面側から処理済空気を吹出す簡素な構造の送風機なので、送風機・の両面間の厚みを薄くできるとともに、多量の空気を通気させ易くでき、処理量を確保し易い。
さらに本実施形態の送風機では、ケーシング１０の内面や回転送風翼２ａの被照射面にＮ型半導体金属酸化物光触媒が配置されているので、光触媒を配置した流路を別に設ける必要がなく、構成を簡素化できる。
また本実施形態の送風機では、殺菌灯１がケーシング１０内に設けられて、吸入開口１０ａ側と吹出開口１０ｂ側とが通気性を有する遮光手段７により塞がれているので、殺菌灯１の紫外線６が送風機外に漏れ難く、周囲の人に照射されることを防止できる。
【００４１】
なお上記実施形態は、本考案の範囲内において適宜変更可能である。例えば上記実施形態では、ケーシング１０の内面と、回転送風翼２ａの殺菌灯１側となる裏面との両方に、Ｎ型半導体金属酸化物光触媒を配置した例について説明したが、少なくとも一方にＮ型半導体金属酸化物光触媒を配置するものであっても本考案を適用可能である。
また上記では、殺菌灯１の裏面側に反射覆い３を配置した例について説明したが、反射覆い３を配置することなく送風機を構成することも可能である。その場合、ケーシング１０内面のより広い領域に殺菌灯１の紫外線６を照射して殺菌作用や光触媒作用を得ることができる。
さらに上記では、吸入開口１０ａ及び取出開口１０ｂの通気性のある遮光手段７としてルーバー４ａ，４ｂを配置した例について説明したが、殺菌灯１からの紫外線６を十分に遮光できるとともに十分な通気性を有するものであれば特に限定されるものではなく、適宜使用可能である。
【符号の説明】
【００４２】
１  殺菌灯
２  ファン
２ａ  回転送風翼
３  反射覆い
４ａ，４ｂ  ルーバー
５  処理前の空気
６  紫外線
７  遮光手段
８  処理後の空気
９  モータ
１０  ケーシング
１０ａ  吸入開口
１０ｂ  吹出開口
１１  スタンド
【図１】
0003235419.tif 000003
【図２】
0003235419.tif 000004